(57)【要約】【課題】ユーザに不快感を与える風が供給されるのを抑制する。【解決手段】室内機周辺の状況に応じて室内ファンの回転数に対応する制御ゾーン（タップ）を自動で選択する風量自動運転を行う空気調和機１において、風量自動運転時における所定期間は、要求ファンタップがＭＨタップの場合でも（ステップＳ１１：Ｙｅｓ）、当該ＭＨタップを選択せずにＭタップを選択して、室内機の吹き出し口から吹き出される風量の上限を制限する（ステップＳ１３）。そして、所定期間が経過した後には（ステップＳ１４：Ｙｅｓ）、風量の上限を制限する制御が解除され（Ｓ１５）、ＭＨタップを選択できるようになる。【選択図】図７
2009145008.tif 000002
【特許請求の範囲】
【請求項１】
室内機の吹き出し口から吹き出される風を供給する室内ファンと、
前記室内機周辺の状況に応じて、互いに異なる回転数に対応した複数の制御ゾーンのいずれかを選択する選択手段と、
前記選択手段で選択された制御ゾーンに対応した回転数に基づいて前記室内ファンを制御する制御手段とを備え、
前記選択手段は、
風量自動運転時における所定期間は、規定回転数以上に対応した制御ゾーンを選択しないと共に、前記所定期間が経過した後で、規定回転数以上に対応した制御ゾーンを選択できるようになることを特徴とする空気調和機。
【請求項２】
前記室内機の吹き出し口から吹き出される風の上下方向の向きを変更するフラップと、
前記フラップを制御するフラップ制御手段とを備えており、
前記フラップ制御手段は、
風量自動運転時における前記所定期間以外は、前記フラップをスイング範囲内で上下方向の向きを変更し、
風量自動運転時における前記所定期間は、暖房運転の場合には、前記フラップを前記スイング範囲より下向きになるように制御すると共に、冷房運転の場合には、前記フラップを前記スイング範囲より上向きになるように制御することを特徴とする請求項１に記載の空気調和機。
【請求項３】
前記選択手段は、前記所定期間は前記複数の制御ゾーンのうちで最も大きい回転数に対応した制御ゾーンを選択できないことを特徴とする請求項１又は２に記載の空気調和機。
【請求項４】
風量自動運転時の運転モードとして能力重視モード及び静音重視モードのいずれかを記憶する記憶手段を備え、
前記選択手段では、
前記記憶手段において運転モードとして静音重視モードが記憶されている場合に限って、前記所定期間は規定回転数以上に対応した制御ゾーンを選択できないと共に、前記所定期間の後は規定回転数以上に対応した制御ゾーンを選択できるようになることを特徴とする請求項１〜３のいずれか１項に記載の空気調和機。
【請求項５】
前記所定期間は、風量自動運転時において規定回転数以上に対応した制御ゾーンが選択されるべき状態となった時点から開始されることを特徴とする請求項１〜４のいずれか１項に記載の空気調和機。
【請求項６】
前記所定期間は、風量自動運転が開始された時点から開始されることを特徴とする請求項１〜４のいずれか１項に記載の空気調和機。
【発明の詳細な説明】
【技術分野】
【０００１】
本発明は、風量自動運転を行う空気調和機に関する。
【背景技術】
【０００２】
一般的な風量自動運転を行う空気調和機では、リモコン等によってユーザが任意に設定する設定温度と室温との差に応じて、室内ファンの回転数を制御している。具体的には、設定温度と室温との差が大きい場合には、室内ファンの回転数を大きくし、設定温度と室温との差が小さい場合には、室内ファンの回転数を小さくして、室内機の吹き出し口から吹き出される風量の制御を行っている（例えば、特許文献１〜３参照）。
【０００３】
上記特許文献１には、暖房運転開始から時間経過とともに吹き出し風量を「強」，「中」，「弱」のいずれかに切り替える基準となる設定温度と室温との差を、従来より小さくすることによって、室内ファンの回転数を下げるタイミングを従来より遅くする空気調和機が開示されている。
【０００４】
また、上記特許文献２には、暖房運転開始時に室温が低い場合に、暖房運転開始時から所定期間経過するまで設定温度と室温との差により決定される室内ファンの回転数を、通常運転の室内ファンの回転数より高めに設定して、室内を急速に暖める空気調和機が開示されている。
【０００５】
また、上記特許文献３に開示される空気調和機では、雰囲気温度が設定温度より高い場合、運転開始から所定期間までは、弱風タップにて運転し、その後、設定タップに切り替える。これに対して、雰囲気温度が設定温度より低い場合、運転開始から所定期間までは、強風タップにて運転し、その後、設定タップに切り替える。
【０００６】
【特許文献１】特開平４−５２４５１号公報
【特許文献２】特開平５−３２２２９０号公報
【特許文献３】特開平２−７８７９６号公報
【発明の開示】
【発明が解決しようとする課題】
【０００７】
しかしながら、上記した特許文献１に記載の空気調和機では、設定温度と室温との差が大きい場合には、室内ファンの回転数が大きい状態が長時間続いてしまう。その結果、長時間にわたって、ユーザに、騒音，ドラフト感，書類のばたつき，髪の毛の乱れ等の不快感を与える風が供給されてしまう。
【０００８】
また、特許文献２に記載の空気調和機では、暖房運転開始時に室温が低い場合に、所定期間が経過するまで、通常運転より室内ファンの回転数が高くなる。このため、設定温度と室温との差が大きく且つ室温が低い場合には、所定期間が経過するまで、通常運転での強風よりさらに強風の風が供給され、ユーザに不快感を与えてしまう。
【０００９】
また、特許文献３に記載の空気調和機では、雰囲気温度が設定温度より低い場合、始めの所定期間までは、強風タップにて運転することから、雰囲気温度より設定温度を高く設定する暖房運転時では、常に強風タップで運転される。このため、所定期間が経過するまでユーザに不快感を与える風が供給されてしまう。
【００１０】
そこで、この発明は、上記のような課題を解決するためになされたものであり、ユーザに不快感を与える風が供給されるのを抑制することが可能な空気調和機を提供することを目的とする。
【課題を解決するための手段】
【００１１】
第１の発明にかかる空気調和機は、室内機の吹き出し口から吹き出される風を供給する室内ファンと、室内機周辺の状況に応じて、互いに異なる回転数に対応した複数の制御ゾーンのいずれかを選択する選択手段と、選択手段で選択された制御ゾーンに対応した回転数に基づいて室内ファンを制御する制御手段とを備え、選択手段は、風量自動運転時における所定期間は、規定回転数以上に対応した制御ゾーンを選択しないと共に、所定期間が経過した後で、規定回転数以上に対応した制御ゾーンを選択できるようになる。
【００１２】
この空気調和機では、風量自動運転時における所定期間では、規定回転数以上に対応した制御ゾーンが選択されないので室内ファンが規定回転数以上にならず、室内機の吹き出し口から吹き出される風量が制限される。これにより、風量自動運転時における所定期間では、ユーザに不快感（騒音，ドラフト感，書類のばたつき，髪の毛の乱れ等）を与える風が供給されるのを防止することができる。なお、当該所定期間では、規定回転数未満に対応した制御ゾーンが選択されて、その制御ゾーンに対応した回転数で室内ファンが制御される。この場合、所定期間における規定回転数未満の室内ファンの運転により、所定期間経過後には室内機周辺の状況が変化して、規定回転数以上に対応した制御ゾーンが選択されない状態となる可能性が高い。これにより、所定期間経過後においても、ユーザに不快感を与える風が供給されるのを防止し得る。これらの結果、所定期間及びその所定期間経過後における一連の風量自動運転において、ユーザに不快感を与える風が供給されるのを抑制することができる。
【００１３】
第２の発明にかかる空気調和機は、第１の発明にかかる空気調和機において、室内機の吹き出し口から吹き出される風の上下方向の向きを変更するフラップと、フラップを制御するフラップ制御手段とを備えており、フラップ制御手段は、風量自動運転時における所定期間以外は、フラップをスイング範囲内で上下方向の向きを変更し、風量自動運転時における所定期間は、暖房運転の場合には、フラップをスイング範囲より下向きになるように制御すると共に、冷房運転の場合には、フラップをスイング範囲より上向きになるように制御する。
【００１４】
この空気調和機では、風量が制限される風量自動運転時の所定期間において、暖房運転時には、熱交換器の温度がより上昇し、吹き出し口から吹き出される風の温度が高くなり、気流の舞い上がりが生じるが、フラップをスイング範囲より下向きにすることによって、その暖気流の舞い上がりを抑制することができる。また、風量が制限される風量自動運転時の所定期間において、冷房運転時には、熱交換器の温度がより低下し、吹き出し口から吹き出される風の温度が低くなり、気流の垂れ下がりが生じるが、フラップをスイング範囲より上向きにすることによって、その冷気流の垂れ下がりを抑制することができる。これにより、室内機の吹き出し口から吹き出される風量が制限される所定期間でも、暖気及び冷気を遠くに運ぶことができる。
【００１５】
第３の発明にかかる空気調和機は、第１又は第２の発明にかかる空気調和機において、選択手段は、所定期間は複数の制御ゾーンのうちで最も大きい回転数に対応した制御ゾーンを選択できない。
【００１６】
この空気調和機では、所定期間において、ユーザに不快感を与える最も強い風が供給されるのを防止することができる。
【００１７】
第４の発明にかかる空気調和機は、第１〜第３のいずれかの発明にかかる空気調和機において、風量自動運転時の運転モードとして能力重視モード及び静音重視モードのいずれかを記憶する記憶手段を備え、選択手段では、記憶手段において運転モードとして静音重視モードが記憶されている場合に限って、所定期間は規定回転数以上に対応した制御ゾーンを選択できないと共に、所定期間の後は規定回転数以上に対応した制御ゾーンを選択できるようになる。
【００１８】
この空気調和機では、所定期間において室内機の吹き出し口から吹き出される風量が制限される静音重視モードと、その制限が解除される能力重視モードとを、ユーザの好みに合わせて選択できる。
【００１９】
第５の発明にかかる空気調和機は、第１〜第４のいずれかの発明にかかる空気調和機において、所定期間は、風量自動運転時において規定回転数以上に対応した制御ゾーンが選択されるべき状態となった時点から開始される。
【００２０】
この空気調和機では、規定回転数以上に対応した制御ゾーンが選択されるべき状態となる毎に規定回転数以上に対応した制御ゾーンが選択されなくなる。その結果、規定回転数以上に対応した制御ゾーンが選択されるべき状態が頻発する場合でも、効果的に室内機の吹き出し口から吹き出される風量を制限して、ユーザに不快感を与える風が供給されるのを抑制することができる。
【００２１】
第６の発明にかかる空気調和機は、第１〜第４の発明のいずれかにかかる空気調和機において、所定期間は、風量自動運転が開始された時点から開始される。
【００２２】
この空気調和機では、規定回転数以上に対応した制御ゾーンを選択する可能性が高い風量自動運転が開始された時点から所定期間について、室内機の吹き出し口から吹き出される風量を制限して、ユーザに不快感を与える風が供給されるのを抑制することができる。
【発明の効果】
【００２３】
以上の説明に述べたように、本発明によれば、以下の効果が得られる。
【００２４】
第１の発明では、風量自動運転時における所定期間では、規定回転数以上に対応した制御ゾーンが選択されないので室内ファンが規定回転数以上にならず、室内機の吹き出し口から吹き出される風量が制限される。これにより、風量自動運転時における所定期間では、ユーザに不快感（騒音，ドラフト感，書類のばたつき，髪の毛の乱れ等）を与える風が供給されるのを防止することができる。なお、当該所定期間では、規定回転数未満に対応した制御ゾーンが選択されて、その制御ゾーンに対応した回転数で室内ファンが制御される。この場合、所定期間における規定回転数未満の室内ファンの運転により、所定期間経過後には室内機周辺の状況が変化して、規定回転数以上に対応した制御ゾーンが選択されない状態となる可能性が高い。これにより、所定期間経過後においても、ユーザに不快感を与える風が供給されるのを防止し得る。これらの結果、所定期間及びその所定期間経過後における一連の風量自動運転において、ユーザに不快感を与える風が供給されるのを抑制することができる。
【００２５】
また、第２の発明では、風量自動運転時において、暖房運転時に吹き出し口から吹き出される暖気流の舞い上がりを抑制することができると共に、冷房運転時に吹き出し口から吹き出される冷気流の垂れ下がりを抑制することができる。これにより、室内機の吹き出し口から吹き出される風量が制限される所定期間でも、暖気及び冷気を遠くに運ぶことができる。
【００２６】
また、第３の発明では、所定期間において、ユーザに不快感を与える最も強い風が供給されるのを防止することができる。
【００２７】
また、第４の発明では、所定期間において室内機の吹き出し口から吹き出される風量が制限される静音重視モードと、その制限が解除される能力重視モードとを、ユーザの好みに合わせて選択できる。
【００２８】
また、第５の発明では、規定回転数以上に対応した制御ゾーンが選択されるべき状態が頻発する場合でも、効果的に室内機の吹き出し口から吹き出される風量を制限して、ユーザに不快感を与える風が供給されるのを抑制することができる。
【００２９】
また、第６の発明では、規定回転数以上に対応した制御ゾーンを選択する可能性が高い風量自動運転が開始された時点から所定期間について、室内機の吹き出し口から吹き出される風量を制限して、ユーザに不快感を与える風が供給されるのを抑制することができる。
【発明を実施するための最良の形態】
【００３０】
以下、図面に基づいて、本発明に係る空気調和機の実施形態について説明する。
【００３１】
図１は、本発明の実施形態に係る空気調和機の全体図である。図２は、図１に示した空気調和機の冷媒回路図である。
【００３２】
図１に示す空気調和機１は、部屋２の内部の温度を調節する機能を有している。本実施形態の空気調和機１は、室内機１０ａ周辺の状況に応じて、室内ファンの回転数に対応した制御ゾーンを自動で選択する風量自動運転を行う。そして、風量自動運転時の運転モードとして、ユーザはリモコン１０ｄの操作によって、静音重視モードと能力重視モードとを選択できる。この空気調和機１は、部屋２の内部空間の上方に配置された室内機１０ａと、部屋の外部に配置された室外機１０ｂと、室内機１０ａと室外機１０ｂとを接続する配管１０ｃと、リモコン１０ｄとを有している。
【００３３】
より詳細には、空気調和機１０は、図２に示すように、室内熱交換器１１を有する室内機１０ａと、室外熱交換器１２、圧縮機１３及び電動膨張弁１４を有する室外機１０ｂとを備えている。図２の冷媒回路図では、インバータによって圧縮能力可変に制御される圧縮機１３の吐出側と吸入側との間に、四路切換弁１５の１次ポートが接続されている。そして、四路切換弁１５の２次ポートの間に、第１ガス管１６、室外熱交換器１２、第１液管１７、電動膨張弁１４、第２液管１８、室内熱交換器１１、第２ガス管１９が順に接続されている。
【００３４】
ここで、四路切換弁１５を実線方向に切り換えることにより、室外熱交換器１２を凝縮器として機能させるとともに室内熱交換器１１を蒸発器として機能させることで冷房運転を行うことができる。一方、四路切換弁１５を破線方向に切り換えることにより、室外熱交換器１２を蒸発器として機能させるとともに室内熱交換器１１を凝縮器として機能させることで暖房運転を行うことができる。
【００３５】
次に、図３を参照して、室内機１０ａにおける制御ブロックについて説明する。図３は、図１に示した空気調和機の室内機の制御ブロック図である。また、図４は、室内機周辺の状況と冷房運転時において選択されるファンタップとの関係とを示した図であり、図５は、室内機周辺の状況と暖房運転時において選択されるファンタップとの関係とを示した図である。図６は、フラップのスイング範囲を示した模式図である。
【００３６】
室内機１０ａには、室内機１０ａの各部の動作を統括する制御ユニット２０が設けられている。この制御ユニット２０には、タップ選択部２２と、ファン制御部２３と、フラップ制御部２４と、記憶部２５と、タイマ２６とが含まれる。また、制御ユニット２０には、室内熱交換器１１の温度を検知するための熱交サーミスタ２７と、部屋２の温度を検知するための室温センサ２８と、室内機１０ａの吹き出し口３０ａから吹き出される風を供給する室内ファン２９と、吹き出し口３０ａから吹き出される風の上下方向の向きを変更するフラップ３０と、リモコン１０ｄから送信される信号を受信するための受信部３１とが接続されている。
【００３７】
タップ選択部２２は、室内機１０ａ周辺の状況を示す室温及び／又は室内熱交換器１１の温度に基づいて、互いに異なる回転数に対応した制御ゾーン（ＭＨタップ、Ｍタップ、ＭＬタップ、Ｌタップ、ＬＬタップ）のいずれかを選択する。より詳細に説明すると、冷房運転時には、このタップ選択部２２は、室温センサ２８によって検知される室温と、リモコン１０ｄによって設定される設定温度との差Ｔｒに応じて、各ファンタップを決定する。また、暖房運転時には、上記した室温と設定温度との差Ｔｒと、熱交サーミスタ２７によって検知される熱交温度Ｔｓとに応じて、各ファンタップを決定する。なお、本実施形態では、室温と設定温度との差Ｔｒ及び熱交温度Ｔｓが同じであっても、上記した能力重視モードと静音重視モードとでは、決定されるファンタップが異なっている。
【００３８】
能力重視モードでは、タップ選択部２２は、冷房運転時において、図４に示すように、室温と設定温度との差Ｔｒが２．５°以上の場合にはＭＨタップを選択し、当該差Ｔｒが１．０°以上２．５°未満の場合にはＭタップを選択し、当該差Ｔｒが０．５°以上１．０°未満の場合にはＭＬタップを選択し、当該差Ｔｒが０．５°未満の場合にはＬタップを選択する。また、このタップ選択部２２は、暖房運転時において、室温と設定温度との差Ｔｒに基づいて第１ゾーン（Ａ１〜Ｌ１）（図５（ａ）参照）を選択すると共に、熱交温度Ｔｓに基づいて第２ゾーン（Ａ２〜Ｇ２）（図５（ｂ）参照）を選択し、第１ゾーンと第２ゾーンとの関係を示すデータテーブル（図５（ｃ）参照）を用いて、ファンタップを選択する。
【００３９】
一方、静音重視モードでは、タップ選択部２２は、風量自動運転時における所定期間は、ＭＨタップを選択しない。つまり、静音重視モードでは、タップ選択部２２は、冷房運転時において、室温と設定温度との差Ｔｒが２．５°以上の場合でも、ＭＨタップを選択せず、Ｍタップを選択する。また、静音重視モードでは、このタップ選択部２２は、暖房運転時において、ＭＨタップを選択せず、Ｍタップを選択する。
【００４０】
ファン制御部２３は、タップ選択部２２で選択されたファンタップに基づいて、室内ファン２９を制御する。これにより、室内ファン２９がタップ選択部２２で選択されたファンタップに対応する回転数で回転して、室内機１０ａの吹き出し口３０ａから所定の風量の風が吹き出される。具体的には、室内機周辺の状況と設定温度とが乖離する状況では、ＭＨタップが選択されて（静音重視モードでの風量自動運転時における所定期間では、Ｍタップが選択されて）、室内ファン２９の回転数が大きくなり、室内機周辺状況と設定温度とが近接する状況では、暖房運転時ではＬＬタップ又は冷房運転時ではＬタップが選択されて、室内ファン２９の回転数が小さくなる。通常、運転開始から運転経過に伴って、室内機周辺の状況と設定温度との差が小さくなるので、ＭＨタップ，Ｍタップ，ＭＬタップ，Ｌタップ，ＬＬタップの順に制御ゾーンが選択されて、室内ファン２９の回転数が徐々に小さくなっていく。
【００４１】
フラップ制御部２４は、室内機１０ａの吹き出し口３０ａから吹き出される風の上下方向の向きを変更するフラップ３０を制御する。これにより、室内機１０ａの吹き出し口３０ａから吹き出される風の上下方向の向きが変更可能になる。本実施形態では、図６に示すように、暖房運転の場合におけるフラップ３０のスイング範囲（暖房スイング範囲）と、冷房運転の場合におけるフラップ３０のスイング範囲（冷房スイング範囲）とは異なっている。そして、このフラップ制御部２４は、風量自動運転時における所定期間では、当該所定期間以外とは異なる制御を行う。具体的には、風量自動運転時における所定期間以外では、暖房運転の場合に、フラップ３０を暖房スイング範囲内で制御し、冷房運転の場合に、フラップ３０を冷房スイング範囲内で制御するが、風量自動運転時における所定期間では、暖房運転の場合に、フラップ３０を暖房スイング範囲より下向きになるように制御し、冷房運転の場合に、フラップ３０を冷房スイング範囲より上向きになるように制御する。
【００４２】
記憶部２５は、リモコン１０ｄから送信される設定温度等を記憶するために設けられている。本実施形態の空気調和機１では、ユーザのリモコン１０ｄの操作によって選択された能力重視モード及び静音重視モードにかかる情報が、受信部３１を介して、当該記憶部２５に記憶されている。また、この記憶部２５には、風量自動運転時の所定期間における室内ファン２９及びフラップ３０などを制御するための制御プログラム、当該所定期間以外における室内ファン２９及びフラップ３０などを制御するための制御プログラム、及び、その制御プログラムの実行に必要なデータ（上記したデータテーブル（図５（ｃ）参照）など）が格納されている。
【００４３】
タイマ２６は、所定期間を計時する機能を有している。特に、本実施形態では、風量自動運転時においてＭＨタップが選択されるべき状態となった時点から所定期間を計時する。
【００４４】
次に、図７を参照して、静音重視モードにおける空気調和機１のファンタップ制限フローについて説明する。図７は、静音重視モードにおける空気調和機のファンタップ制限フローを示すフローチャートである。
【００４５】
まず、タップ選択部２２によって選択されたファンタップ（以下、要求ファンタップとする）がＭタップより大きいか否かが判断される（ステップＳ１１）。そして、上記した要求ファンタップがＭタップより大きい場合、つまり、要求ファンタップがＭＨタップの場合には（ステップＳ１１：Ｙｅｓ）、タイマ２６をスタートさせる（ステップＳ１２）。これに対して、要求ファンタップがＭタップ以下の場合、つまり、要求ファンタップがＭタップ、ＭＬタップ、Ｌタップ、ＬＬタップのいずれかの場合には（ステップＳ１１：Ｎｏ）、再びステップＳ１１の判断を繰り返す。
【００４６】
そして、本実施形態では、要求ファンタップがＭＨタップであっても、タイマ２６がカウントアップするまでは、当該ＭＨタップを選択せずＭタップを選択して、室内機１０ａの吹き出し口３０ａから吹き出される風量の上限を制限する（ステップＳ１３）。次に、タイマ２６が所定期間を計時してカウントアップしたか否かが判断される（ステップＳ１４）。そして、タイマ２６がカウントアップした場合には（ステップＳ１４：Ｙｅｓ）、風量の上限を制限する制御を解除する（ステップＳ１５）。一方、タイマ２６がカウントアップしていない場合には（ステップＳ１４：Ｎｏ）、ステップＳ１３に戻り、風量の上限を制限する制御を継続する。
【００４７】
次に、図８を参照して、静音重視モードにおける空気調和機１のフラップ制御フローについて説明する。図８は、静音重視モードにおける空気調和機のフラップ制御手順を示すフローチャートである。
【００４８】
まず、風量上限制限中か否かが判断される（ステップＳ２１）。そして、風量上限制限中である場合には（ステップＳ２１：Ｙｅｓ）、冷房運転中か否かが判断される（ステップＳ２２）。これに対して、風量上限制限中でない場合には（ステップＳ２１：Ｎｏ）、再びステップＳ２１の判断が繰り返される。次に、冷房運転中の場合には（ステップＳ２２：Ｙｅｓ）、フラップ３０を冷房スイング範囲の上限位置以上の位置に移動させる（ステップＳ２３）。また、暖房運転の場合には（ステップＳ２２：Ｎｏ）、フラップ３０を暖房スイング範囲の下限位置以下に移動させる（ステップＳ２４）。
【００４９】
［本実施形態の空気調和機１の特徴］
本実施形態の空気調和機１には、以下のような特徴がある。
【００５０】
静音重視モードにおける空気調和機１では、要求ファンタップがＭＨタップであっても、風量自動運転時の所定期間では、ＭＨタップが選択されないので室内ファン２９が規定回転数以上にならず、室内機１０ａの吹き出し口３０ａから吹き出される風量が制限される。これにより、風量自動運転時における所定期間では、ユーザに不快感（騒音，ドラフト感，書類のばたつき，髪の毛の乱れ等）を与える風が供給されるのを防止することができる。なお、当該所定期間では、Ｍタップが選択されて、そのＭタップに対応した回転数で室内ファン２９が制御される。この場合、所定期間におけるＭＨタップ未満のファンタップによる室内ファン２９の運転により、所定期間経過後には室温と設定温度との差Ｔｒが、所定期間経過前における室温と設定温度との差Ｔｒより小さくなり、ＭＨタップが選択されない状態となる可能性が高い。これにより、所定期間経過後においても、ユーザに不快感を与える風が供給されるのを防止し得る。これらの結果、所定期間及びその所定期間経過後における一連の風量自動運転において、ユーザに不快感を与える風が供給されるのを抑制することができる。
【００５１】
また、静音重視モードにおける風量制限時の空気調和機１では、暖房運転時には、熱交換器の温度がより上昇し、吹き出し口３０ａから吹き出される風の温度が高くなり、気流の舞い上がりが生じるが、フラップ３０を暖房スイング範囲の下限位置以下の位置に移動させる（ステップＳ２４）ことによって、吹き出し口３０ａから吹き出される暖気流の舞い上がりを抑制することができる。また、冷房運転時には、熱交換器の温度がより低下し、吹き出し口３０ａから吹き出される風の温度が低くなり、気流の垂れ下がりが生じるが、フラップ３０を冷房スイング範囲の上限位置以上の位置に移動させる（ステップＳ２３）ことによって、吹き出し口３０ａから吹き出される冷気流の垂れ下がりを抑制することができる。これにより、室内機１０ａの吹き出し口３０ａから吹き出される風量が制限される所定期間でも、暖気及び冷気を遠くに運ぶことができる。
【００５２】
また、静音重視モードにおける空気調和機１では、最も大きい回転数に対応したＭＨタップを選択できなくすることによって、所定期間において、ユーザに不快感を与える最も強い風が供給されるのを防止することができる。
【００５３】
また、この空気調和機１では、所定期間において室内機１０ａの吹き出し口３０ａから吹き出される風量が制限される静音重視モードと、その制限が解除される能力重視モードとをユーザの好みに合わせて選択できる。
【００５４】
また、この空気調和機１では、ＭＨタップが選択されるべき状態となった時点（ステップＳ１１：Ｙｅｓ）から、タイマ２６がスタートする（ステップＳ１２）ので、ＭＨタップが選択されるべき状態となる毎にＭＨタップが選択されなくなる。その結果、ＭＨタップが選択されるべき状態が頻発する場合でも、効果的に室内機１０ａの吹き出し口３０ａから吹き出される風量を制限して、ユーザに不快感を与える風が供給されるのを抑制することができる。
【００５５】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５６】
例えば、上記実施形態では、ＭＨタップの選択を制限する所定期間が、ＭＨタップが選択されるべき状態となった時点（ステップＳ１１：Ｙｅｓ）から開始される例について説明したが、本発明はこれに限らず、ＭＨタップの選択を制限する所定期間を、風量自動運転が開始された時点から開始しても良い。
【００５７】
また、上記実施形態では、ＭＨタップのみを制限する例について説明したが、本発明はこれに限らず、規定回転数以上に対応したファンタップを複数制限しても良い。
【００５８】
また、上記実施形態では、制御ユニット２０を室内機１０ａに設ける例について説明したが、本発明はこれに限らず、室外機１０ｂに設けても良い。
【産業上の利用可能性】
【００５９】
本発明を利用すれば、ユーザに不快感を与える風が供給されるのを抑制することができる。
【図面の簡単な説明】
【００６０】
【図１】本発明の実施形態に係る空気調和機の全体図である。
【図２】図１に示した空気調和機の冷媒回路図である。
【図３】図１に示した空気調和機の室内機の制御ブロック図である。
【図４】室内機周辺の状況と冷房運転時において選択されるファンタップとの関係とを示した図である。
【図５】室内機周辺の状況と暖房運転時において選択されるファンタップとの関係とを示した図である。
【図６】フラップのスイング範囲を示した模式図である。
【図７】静音重視モードにおける空気調和機のファンタップ制限フローを示すフローチャートである。
【図８】静音重視モードにおける空気調和機のフラップ制御手順を示すフローチャートである。
【符号の説明】
【００６１】
１  空気調和機
１０ａ  室内機
２０  制御ユニット
２２  タップ決定部
２３  ファン制御部
２４  フラップ制御部
２５  記憶部
２６  タイマ
２９  室内ファン
３０  フラップ
３０ａ  吹き出し口
【図１】
2009145008.tif 000003
【図２】
2009145008.tif 000004
【図３】
2009145008.tif 000005
【図４】
2009145008.tif 000006
【図５】
2009145008.tif 000007
【図６】
2009145008.tif 000008
【図７】
2009145008.tif 000009
【図８】
2009145008.tif 000010